(57)【要約】【課題】本発明は、排泄された犬等のペットの糞を回収、廃棄する装置である。従来の糞取り装置は、嵩張り、携帯し難いものであった。使用の際も取り扱いが難しく、取り残したり、汚染された装置を洗浄しなくてはならない等不便であった。本発明は、簡単な操作で糞等を迅速に、衛生的で、且つ経済的に処理できるペット用糞とり装置を提供する。【解決手段】ちりとり状の形状をした箱体（１）とその箱体を被覆するポリ袋（３）から成り、該箱体の糞取りこみ用開口部とは反対側の端部近傍に該ポリ袋の開口部分を固定するものであり、固定手段が粘着テープ、リング状弾性体や両面接着性パッド等であり、該パッドの性質は該パッドとポリ袋と接着する面との剥離強度が箱体と接着するパッドのもう一面と箱体との剥離強度よりも弱い両面粘着性パッド（２）からなる装置で、糞等汚物（５）を取り込んだ後は被覆されているポリ袋だけを引き剥がして廃棄する。【選択図】図２
2007274916.tif 000002
【特許請求の範囲】
【請求項１】
ちりとり型の形状をした箱体を軟質プラスティックフィルム製の袋（以下ポリ袋と記す）で被覆し、該ポリ袋の開口部分を該箱体の糞取り込み用開口部と反対の端部近傍に固定する事を特徴とするペット糞取り装置。
【請求項２】
ちりとり型の形状をした箱体をポリ袋で被覆し、該ポリ袋は予め箱体に適宜の場所に取り付けられた両面粘着性パッドで該箱体に固定され、該パッドがパッドのポリ袋と接着する面との剥離強度が箱体と接着するパッドのもう一面と箱体との剥離強度よりも弱い事を特徴とする特許請求項１記載のペット糞とり装置。
【請求項３】
開口部を一面以上有する箱体にポリ袋を被覆し、該ポリ袋の開口部分を該箱体の糞取り込み用開口部と反対の端部近傍に固定する糞取り込み用スコップを具備する事を特徴とする特許請求項１記載のペット糞取り装置。
【請求項４】
開口部を一面以上有する箱体にポリ袋を被覆し、該ポリ袋は予め箱体の適宜の場所に取り付けられた両面粘着性パッドで該箱体に固定され、該パッドがパッドのポリ袋と接着する面との剥離強度が箱体と接着するパッドのもう一面と箱体との剥離強度よりも弱い糞取り込み用スコップを具備する事を特徴とする特許請求項１記載のペット糞とり装置。
【発明の詳細な説明】
【技術分野】
【０００１】
本発明は、ちりとり型の形状をした箱体と、該箱体に固定されるポリ袋とから構成され、糞等を取り込んだ後は該ポリ袋だけを箱体から引き剥がし、廃棄するペット糞とり装置に関するものである。
【背景技術】
【０００２】
従来の糞とり器具においては、糞を取り込む袋類とスコップ  及び  ちりとりが別々につくられ、保管され、携帯に供されていた。従来技術として、紙コップやちりとりのようなもの、或いは紙スコップのような形状の物や糞をくわえたり挟んだりするような機構の金属製  或いはプラスチック製の柄や挟み棒などを使用したもの等があるが、薄手のポリ袋や紙製品では充分に用を果たさず、あまり厚手の物や硬いものを使用すると、糞の周囲や使用する器具を汚染したり、又、器具そのものが割高で使用後、廃棄するには非現実的な物もあった。各器具は糞等で汚染され易く、その際は洗浄しなければならず、面倒であった。又それらの器具は嵩張ったり、重かったりして、携帯するのが楽でなく、実際の使用には不便で不充分なものであった。
（特許文献参照）
【特許文献１】公開特許公報  特開２００２−１７１９７
【特許文献２】登録実用新案公報  第３０２７９９０号
【特許文献３】公開特許公報  特開平１１−９８９３１
【特許文献４】公開実用新案公報 実開平２−１００４５３
【特許文献５】公開特許公報  特開２０００−６９８７３
【発明の開示】
【発明が解決しようとする課題】
【０００３】
従来の糞とり器具においては、袋とスコップ、及び  ちりとりが別々につくられ、保管され、携帯に供されていた。
従来技術として幾つか考案が成されているが、それらのあるものはポリ袋の開口部にスコップの元部を固着した形態のもので、汚染する高価な本体を廃棄しなくてはならないのでコスト的にも衛生的にも好ましくないものであったり、犬の糞を採集した後、簡単に袋の口は閉じて密封されるものであるが袋とスコップが別々で保管され、袋は機構が複雑で保管時に嵩張り、又使い捨てるには材料が高価なものであったり、又、ある技術は、枠に取っ手を付け、該取っ手に蝶番を付けて蓋を付け、該枠にビニール袋を通した技術であるが、使用時に該蓋が汚物で汚れ、取り付けられたポリ袋がぶら下がって糞取り操作が困難で、破損する恐れがあり、装置も嵩張っており携帯には不向きなものであった、他の技術としては、火挟み状の2本の挟み棒の先端部に、短い補助挟みを折り曲げ自由に取付けてポリ袋を取り付けたもので、操作する技術が必要で、糞の性状によっては取り込みが困難で、糞等の汚物の周囲と器具本体も汚染し易く、衛生上も好ましくないもの等であった。一方、排泄されるペットの糞の形状、性状は多様性に富んでおり、これらに幅広く対処でき、小型で操作し易く、携帯に便利で安価で、衛生的に取り扱える糞取り装置が求められている。
【課題を解決するための手段】
【０００４】
上記課題を解決するために、本発明は、ちりとり型の形状をした箱体を非吸水性のポリ袋で被覆し、該ポリ袋の開口部を該ちりとり型の形状をした箱体の糞取り込み用開口部と反対の端部近傍に固定し、該ちりとり型の形状をした箱体に糞等を取り込んだ後は、該ポリ袋を引き剥がして廃棄するものである。固定する手段としては、粘着テープ、リング状の弾性体、クリップ類等を用いる事で可能であるが、２面間で異なる粘着性強度を有する両面接着性パッドが特に好ましい。該パッドは可撓性を有するフィルムやシート状の発泡体を基板とし、その両面に接着剤層を積層したものであり、ちりとり型箱体と該パッドが接着する面とは強固に接着し、該パッドがポリ袋と接着する面は、該ポリ袋を該パッドから剥離する際には破損せず、随時にポリ袋と該パッドとの着脱が実施出来る粘着強度を有するものである。
【発明の効果】
【０００５】
従来では各々の糞取り具は使用すれば装置やその周辺が糞等の汚物で汚染され易く、洗浄しなければならず、面倒であった。又それらの器具は個別の状態で携帯するので、嵩張り、携帯が楽でない上、取り扱いも不便であった。本発明は、以上説明したように構成されているので、以下に記載されるような効果を奏する。
再利用の牛乳パックや市場で簡単に入手できるプラスチックシートで作成するちりとり型の形状をした箱体にポリ袋を被覆し、該箱体の糞取りこみ用開口部と反対の端部近傍で該ポリ袋開口部端面を固定したものであり、該ポリ袋とちりとり型箱体は一体化されコンパクトであり、併せて使用する事が出来るちりとり型スコップも該糞取り装置内部に入れて持ち歩くことが出来る為、コンパクトで携帯するのに便利である。又、操作が容易で瞬時に使用できるので、犬のしつけや犬の生態を熟知している場合には、排泄糞が地面に落ちる前に取る事も可能である。使用時の取り扱いが簡単で衛生的であるばかりでなく、廃棄するのは糞等の汚物の入ったポリ袋だけなのでコスト的にも非常に経済的な装置である。また、使用済の牛乳パックやプラスチック等で作る事が出来るちりとり型の糞取り込み用スコップを併用する事により、色んな状態の糞を簡単な操作で迅速に、且つ衛生的にポリ袋に取り込む事が出来る。
【発明を実施するための最良の形態】
【０００６】
上記のように構成された糞とり装置を利用するには、先ず、ちりとり型の箱体をポリ袋で被覆し、該ポリ袋の開口部分を該箱体の該箱体の糞取り込み開口部と反対の端部近傍に固定する。該ちりとり型の形状をした箱体のポリ袋に排泄された糞を取り込んだ後は、開放されているポリ袋の端面を引っ張る事で該箱体から糞の入った状態のポリ袋を、手を汚染する事も箱体等の器具を汚染する事も無く、簡単に引き剥がす事が出来る。しかる後に、糞の入った該ポリ袋の開いている端面を封じ、これを廃棄する。
ちりとり型の箱体は全く糞等に汚染されていないので、サイズの合ったポリ袋で再び被覆し、該箱体の糞取りこみ用開口部と反対の端部近傍に固定する事によって再利用が可能となる。
【０００７】
該ちりとり型箱体に取っ手を取り付けても良い。取っ手の形状は筒状で中空のものが、糞取り装置を小型化できるばかりでなく中空の部分に予備のポリ袋等を収納出来るので好ましい。排便する糞の性状は該ペットのサイズ、健康状態や食べる食物の種類により大きく異なる。糞は硬くて塊状で取り扱い易い場合もあるが、塊状であっても粘土質であったり、泥状で高粘度のものから低粘度のものまで多様である。ポリ袋を予め被覆した開口部が一面以上ある箱体の糞取り込みスコップを、本発明のペット糞取り装置に具備することは、どの様な状態の糞でも取り込み易く、且つポリ袋だけを引き剥がして衛生的に廃棄できるのでより好ましい。
【０００８】
糞取り込みが終了した状態では、ちりとり型の箱体に固定されている該ポリ袋の中央部だけが汚染されるだけであり、操作する手や該ポリ袋以外に器具の如何なる部分も汚染される事は無いので衛生的で経済的である。
ちりとり型の形状をした箱体をポリ袋で被覆し、該ポリ袋の開口部分を該箱体の糞取り込み用開口部と反対の端部近傍に固定する方法としては２面間で異なる粘着性強度を有する両面接着性パッドを使用する方法が特に好ましい。
両面粘着性パッドに要求される接着強度は使用する箱状物体とポリ袋の表面状態や材質に依存するが、ポリ袋と両面粘着性パッド間の接着強度はポリ袋を該パッドから引き剥がす際に該ポリ袋が破損する事無く剥がす事が出来、随時、該パッドとポリ袋との着脱が実施できる粘着性を有していればよく、箱体と両面粘着性パッド間の接着強度はポリ袋をパッドから引き剥がす際に該パッドが箱状物体から剥がれる事がない強度を有する。本発明のちりとり型箱体とは、箱の前面の全面と上面の一部もしくは全面が開口しており、下面が平坦な形状を有する箱型のものであり、該ちりとり状箱体の形状、サイズは該ペットのサイズや処理する際の糞の量や性質に応じて自由に変えることが出来る。
【実施例１】
【０００９】
次に発明におけるペット糞取り装置の製造方法と、それによって得られる効果について具体的に説明する。
尚、本実施における取っ手の取り付け方法、形状やスコップの形状等の記載例は実施の説明に供したものであって本発明を制限するものではない。又、使用する両面粘着性パッドの大きさ、形状および貼り付ける場所や個数は、接着する箱体の形状、大きさに応じて自由に変えることが出来る。
【実施例２】
【００１０】
以下、実施例について、図面を参照して説明する。図1は使用済みの牛乳や野菜ジュース、果物ジュース、飲料水の紙  もしくはプラスチック製のパック  又は市販のプラスチックシート等を利用して作成したちりとり型糞取り装置（１）を示すもので、必要とされる適宜の位置に両面粘着性パッド（２）を、強い接着性を有する面をちりとり状箱体の面側に、弱い粘着性を有する面を外側にして貼り付ける。
【００１１】
図２において、非吸水性のポリ袋の開口部に、牛乳や野菜ジュース、果物ジュース、飲料水の紙  もしくはプラスチック製のパック  又は市販のプラスチックシート等を利用して作られたちりとり型箱体（１）を入れて、箱体全体を非吸水性のポリ袋（３）で被覆し、予め貼り付けてある粘着性を有する両面粘着性パッド（２）で固定した状態を示すものである。
【００１２】
図３において、排出された糞を取り込んだ後、非吸水性のポリ袋の開口部の一端を引っ張り、糞（５）と共に該ポリ袋をちりとり状の形状をした箱体から引き剥がした状況を示すものである。該ポリ袋の形は図に示した形状に限定しない。該ポリ袋の形状、サイズや性能はちりとり状箱体の形状や取り込む糞の量や状態、目的に応じて自由に変えることが出来る
【００１３】
図４は、使用済みの牛乳や野菜ジュース、果物ジュース、飲料水の紙  もしくはプラスチック製のパック  又は市販のプラスチックシート等を利用して作成した糞取り込み用スコップの一例を示すものである。本スコップの形状としては、開口部が一面以上ある箱体であって、本発明のちりとり状の箱体の糞取り装置より小型のものが携帯にも便利で使用する際にも操作し易く好ましい。該スコップにはサイズにあった形状、大きさのポリ袋を被覆し、該ポリ袋の開口部分を該スコップの糞取りこみ用開口部と反対の端部近傍に固定する。又、取り扱い易くする為に取っ手をつけても良い。
軟質プラスティックフィルム製の袋に使用されるプラスチックとしては、ポリエチレン、ポリプロピレン、ポリアミド（ナイロン）等の熱可塑性ポリマーがある。プラスチックシートに使用されるプラスチックとしては、ポリエチレン、ポリプロピレン、ポリアミド（ナイロン）、ポリ塩化ビニル、ポリスチレン、ポリカーボネート等のポリマーがある。
【産業上の利用可能性】
【００１４】
本発明に係るペット糞とり装置は、殆どの材料が  紙  及び  プラスチックなど市場で簡単に入手できるものであり、工業的に量産出来るばかりでなく、安価に生産出来るため、ペット産業や清掃産業等産業上の利用可能性を有する。
【図面の簡単な説明】
【００１５】
【図１】牛乳パック等を利用した、箱体に取っ手を付け、該箱体の端部近傍にパッドを貼り付けた状態を示す斜視図である。
【図２】箱体をポリ袋で被覆し、箱体内部をパッドで固定した状態を示す斜視図である。
【図３】、取り込んだ糞と共に該ポリ袋をちりとり型箱体から引き剥がした状態を示す斜視図である。
【図４】開口部が一面の糞取り込みスコップの斜視図である。
【符号の説明】
【００１６】
（１）ちりとり型箱体、（２）両面粘着性パッド、（３）ポリ袋、
（４）取っ手、（５）糞、（６）ポリ袋開口部端面、（７）糞取り込みスコップ、
（８）箱体糞取りこみ用開口部
【図１】
2007274916.tif 000003
【図２】
2007274916.tif 000004
【図３】
2007274916.tif 000005
【図４】
2007274916.tif 000006